(57)【要約】【課題】扁平に折り畳んだ状態から容易かつ迅速に組み立てて使用できる吊下式陳列具を提供する。【解決手段】基板１を蛇腹状に折り曲げて、商品の収納部２を有する収納段３を上下に複数段形成した吊下式陳列具において、各収納段３が配置された上下方向に紐１２を渡し、紐１２の端部を基板１に固定して、紐１２の緊張により基板１の折曲状態を維持する。紐１２の緊張により基板１の折曲状態が維持されるので、陳列時に商品の前倒れが防止され、また、曲げ伸ばし自在の紐１２で基板１を保形しているので、店頭への配送時には、紐１２を基板１から取り外さずに、基板１を扁平に折り畳むことができ、店頭では、基板１を上下に引っ張るだけで組み立てることができる。【選択図】図１
2008086646.tif 000002
【特許請求の範囲】
【請求項１】
基板(1)を蛇腹状に折り曲げて、商品収納部(2)を有する収納段(3)を上下に複数段形成した吊下式陳列具において、各収納段(3)が配置された上下方向に紐(12)を渡し、紐(12)の端部を基板(1)に固定して、紐(12)の緊張により基板(1)の折曲状態を維持することを特徴とする吊下式陳列具。
【請求項２】
前記収納部(2)及び収納段(3)は、基板(1)に収納部(2)ごとに対向する切目(4)を入れ、その間の帯片(5)を谷折りして窪ませると共に、両側方の上板部(6)と前板部(7)とを山折りすることにより形成したことを特徴とする請求項１に記載の吊下式陳列具。
【請求項３】
前記各収納段(3)の上板部(6)及び前板部(7)と最上段の収納段(3)の上方とに、紐穴(8)を設け、上下に並ぶ紐穴(8)に紐(12)を挿通したことを特徴とする請求項１又は２に記載の吊下式陳列具。
【発明の詳細な説明】
【技術分野】
【０００１】
この発明は、店頭に吊り下げて商品を陳列する吊下式陳列具に関するものである。
【背景技術】
【０００２】
例えば、下記特許文献１には、図４に示すように、基板５１の折り曲げに伴い、商品の収納部５２を有する収納段５３を上下に複数段形成し、基板５１の上部に取り付けた紐により吊り下げて商品を陳列する吊下式陳列具が記載されている。
【０００３】
収納部５２及び収納段５３は、基板５１に収納部５２ごとに対向する切目５４を入れ、その間の帯片５５を谷折りして窪ませると共に、両側方の上板部５６と前板部５７とを山折りすることにより形成される。
【０００４】
この吊下式陳列具では、収納部５２に収納した商品の重量により基板５１の折り曲げが伸びて商品が前方に倒れる現象を防止するため、基板１の裏側に帯状の補助板５８を上下方向に向けて沿わせ、補助板５８の突片５９を基板５１のスリット６０に差し込んで係止し、基板５１の折曲状態を維持するようになっている。
【０００５】
【特許文献１】実開昭６０−５０８５６号公報
【発明の開示】
【発明が解決しようとする課題】
【０００６】
しかしながら、上記のような吊下式陳列具では、小売店への配送に際し、扁平に折り畳もうとすると、基板５１から補助板５８を取り外さなければならず、店頭で再度組み立てるのに手間がかかるという問題がある。
【０００７】
そこで、この発明は、扁平に折り畳んだ状態から容易かつ迅速に組み立てて使用できる吊下式陳列具を提供することを課題とする。
【課題を解決するための手段】
【０００８】
上記課題を解決するため、この発明は、基板を蛇腹状に折り曲げて、商品収納部を有する収納段を上下に複数段形成した吊下式陳列具において、各収納段が配置された上下方向に紐を渡し、紐の端部を基板に固定して、紐の緊張により基板の折曲状態を維持することとしたのである。
【０００９】
なお、前記収納部及び収納段は、基板に収納部ごとに対向する切目を入れ、その間の帯片を谷折りして窪ませると共に、両側方の上板部と前板部とを山折りすることにより形成するとよい。
【００１０】
また、前記各収納段の上板部及び前板部と最上段の収納段の上方とに、紐穴を設け、上下に並ぶ紐穴に紐を挿通するとよい。
【発明の効果】
【００１１】
この発明に係る吊下式陳列具では、紐の緊張により基板の折曲状態が維持されるので、陳列時に商品の前倒れが防止される。また、基板を保形する紐は、曲げ伸ばし自在であることから、店頭への配送時には、紐を基板から取り外さずに、基板を扁平に折り畳むことができる。そして、店頭では、基板を上下に引っ張るだけで、容易かつ迅速に組み立てることができる。
【発明を実施するための最良の形態】
【００１２】
以下、この発明の実施形態を添付図面に基づいて説明する。
【００１３】
図１に示すように、この吊下式陳列具は、商品として、口腔洗浄液等の液剤を詰めた小瓶を店頭で陳列するために使用するものであり、板紙製の基板１を蛇腹状に折り曲げて、商品の収納部２をポケット状に開口させると共に、収納部２が３個ずつ横に並んだ収納段３を、上下に４段形成した形状とされている。
【００１４】
この陳列具の基板１のブランクでは、図２に示すように、各収納部２ごとに、対向する切目４が上部の間隔が下部の間隔よりも広くなるように入れられ、その間の帯片５の両側方には、上板部６及び前板部７が上下に形成されている。帯片５の中間下部及び下端、並びに上板部６の上下端には、横方向に折目が入れられている。
【００１５】
各収納段３の両側の上板部６及び前板部７と、最上段の収納段３の上方には、紐穴８が設けられ、基板１の下端部の重合部９にも、紐穴８が設けられている。上から２段目と最下段の収納段３の前板部７に位置する紐穴８は、各側それぞれ横に２個並んでいる。
【００１６】
基板１の最上段の収納段３の上方は、広告等を印刷する表示部１０とされ、表示部１０の上部及び基板１の上端部の重合部９には、紐穴１１が設けられている。
【００１７】
このブランクから図１に示す陳列具を製造する際には、帯片５を谷折りして窪ませると共に、上板部６と前板部７とを山折りして、収納部２及び収納段３を立体化し、上下の重合部９を基板１の裏側に折り返して貼り付ける。そして、基板１の両側の紐穴８にそれぞれ紐１２を上下方向に挿通し、紐１２が緊張した状態とする。
【００１８】
紐１２は、基板１の各側上下別のものとし、両端部に抜止用の先金を付けたものを使用する。各紐１２の上端部は、紐穴８を介して基板１の表側から裏側へ引き出し、各紐１２の下端部は、横に２個並んだ紐穴８を介して基板１の裏側から表側へ、さらに裏側へ引き出す。紐１２の両端部は粘着テープにより基板１の裏面に貼り付ける。
【００１９】
また、紐穴１１に吊下用の紐１３を挿通し、紐１３にフック１４を取り付ける。これにより、陳列具が完成する。
【００２０】
上記のように組み立てた吊下式陳列具では、店頭で吊り下げて商品を陳列する際、紐１２の緊張により基板１の折曲状態が維持されるので、陳列時に商品の前倒れが防止され、整然とした陳列が可能となる。
【００２１】
また、曲げ伸ばし自在の紐１２で基板１を保形しているので、店頭への配送時には、図３に示すように、紐１２を基板１から取り外すことなく、基板１を扁平に折り畳むことができ、店頭では、基板１を上下に引っ張るだけで、図１に示す使用状態に容易かつ迅速に組み立てることができる。
【００２２】
ところで、上記実施形態では、基板１が板紙から成るものを例示したが、基板１は、段ボールのほか、プラスチックシートから形成してもよい。
【００２３】
また、紐１２として、先金を付けたものを例示したが、先金のない紐１２の両端部を玉状に結んで紐穴８から抜け止めしてもよく、粘着テープのみで抜け止めしてもよい。
【００２４】
また、基板１の各側に上下別の紐１２を挿通したが、各側１本の長い紐１２を最上段の紐穴８から最下段の紐穴８へかけて挿通してもよい。
【００２５】
そのほか、基板１の両側に紐穴８を設けて２列となるように紐１２を挿通したが、基板１の中央に紐穴８を設けて１列となるように紐１２を挿通してもよい。
【図面の簡単な説明】
【００２６】
【図１】この発明に係る吊下式陳列具の使用状態を示す斜視図
【図２】同上の基板のブランクを示す図
【図３】同上の折畳状態を示す斜視図
【図４】従来の吊下式陳列具の使用状態を示す斜視図
【符号の説明】
【００２７】
１  基板
２  収納部
３  収納段
４  切目
５  帯片
６  上板部
７  前板部
８  紐穴
９  重合部
１０  表示部
１１  紐穴
１２，１３  紐
１４  フック
【図１】
2008086646.tif 000003
【図２】
2008086646.tif 000004
【図３】
2008086646.tif 000005
【図４】
2008086646.tif 000006